Podtech/llm-jp-corpus-v4-ja_patent huggingface dataset:
(57)【要約】
【課題】本考案はホルソーの中芯部と外輪部を分離運動（スライド）させる事で内部の切断物の詰り物を除去し作業の簡素化を図る。
【解決手段】本考案は、中芯部に回転止と詰り物除去用ツバを附帯し外輪部の内部に中芯部の回転止メ部が移動運動出来る溝を作り、中芯部が外輪部内を容易に移動運動が出来る様にする。
【選択図】図１
0003099398.tif 000002
【実用新案登録請求の範囲】
【請求項１】
穴明用工具、ホルソーの構造を中芯部と外輪部が分離可能な構造にし、切断物の詰り物を容易に除去出来る所を特徴とする分離型ホルソー。
【考案の詳細な説明】
【技術分野】
【０００１】本考案は中芯部と外輪部を分離させるホルソーに関するものである。
【背景技術】
【０００２】本体内部に詰った切断物を他の工具等を使いカキ出している。
【考案の開示】
【考案の解決しょうとする課題】
【０００３】中芯部と外輪部を分離させる事で内部に詰った切断物を容易に除去出来る様にし、前述の欠点を解決しょうとするものである。
【課題を解決する為の手段】
【０００４】本考案は中芯部と外輪部をスライド可能な形状にしスライドと同時に内部の詰り物を除去出来る様にし問題点を解決している。
【考案の効果】
【０００５】前述の様に分離型ホルソーは従来の詰り物除去機能のない物に比し作業時間の短縮に役立つ。
【考案の実施する為の最良の形態】
【０００６】中芯部が外輪部内を必要距離分スライド出来る様に外輪部貫通部に溝を作り、中芯部中間に詰り物除去用ツバを附帯しスライドと同時に詰り物を除去させる。
【実施例】
【０００７】以下、添付図面に従って実施例を説明する。
中芯部１を外輪部２に合体させる。
切断時は３（回転防止用ツメ）を５−ａ部に置く。
詰り物除去時は３が５−ｂ部を通り４（除去用ツバ）が２部分の刄先迄移動させる事で切断物等の詰り物を除去する。【０００８】本考案の一実施例は、上述の如き構成からなるものであるから分離の範囲は必ずしも２ヶの固体に分ける必要はなく４部が２−４−ｃ部の内部を移動する距離分だけスライド出来れば可とする。
【図面の簡単な説明】
【０００９】
【図１】本考案の分離型ホルソーの一実施例を示す正面、部分側面、上面、各図である。
【符号の説明】
【００１０】１．　中芯部
２．　外輪部
２−４−ｃ．　外輪刄部
３．　回転止用ツメ
４．　除去用ツバ
５．　３用受口
５．ａ　切断時の３部位置
５．ｂ　１部と２部との分離運動時の３部の移動溝
【図１】
0003099398.tif 000003
(57)【要約】
【課題】　小物体を簡単に能率良く取り上げることができる。
【解決手段】　細長い棒の先に具備されたアクリル発泡スポンジに小物体を吸着させることによって、その小物体を取り上げたり取り外したりする作業を、簡単に能率良く行うことができる。
【選択図】　図６
0003099397.tif 000002
【実用新案登録請求の範囲】
【請求項１】
　細長い棒の一端若しくは両端にアクリル発泡スポンジを具備する吸着棒。
【考案の詳細な説明】
【考案の詳細な説明】
【技術分野】
【０００１】　本考案は、小物体を細長い棒の端部に吸着させて取り上げることができる吸着棒に関する。
【背景技術】
【０００２】　従来の小物体を取り上げる道具としてはピンセットが知られている。
【考案が解決しようとする課題】
【０００３】　従来の、ピンセットを使っての小物体を取り上げる作業では、小物体をピンセットで挟む作業に技術を要し、能率良く取り上げることが困難であった。
【０００４】　また小物体の形が球体のような形状の場合、取り上げることが特に困難であった。
【０００５】　本考案は、以上のような欠点を除くためになされたものである。
【課題を解決するための手段】
【０００６】　本考案の吸着棒は、細長い棒の先に具備されたアクリル発泡スポンジに小物体を吸着させることによって取り上げることができるので、ピンセットで取り上げるときのような挟む作業をする必要が無く、小物体の一部に細長い棒の先を触れさせるだけで簡単に取り上げることができる。
【０００７】　また、小物体の形状が球体のような形状であっても本考案の吸着棒は小物体の一部に触れるだけで簡単に取り上げることができる。
【０００８】　また本考案の吸着棒によって取り上げた小物体を取り外すときは、何かの物体にその小物体を軽くこすりつけることにより、簡単に吸着棒の先から離れてくれる。
【考案を実施するための最良の形態】
【０００９】　本考案の実施の形態を、図面を参照して説明する。
　図１は本考案の吸着棒の一実施例を示す斜視図である。細長い棒１の一端にアクリル発泡スポンジ２が付いている。【００１０】　図２は図１の正面図である。アクリル発泡スポンジ２は細長い棒１の端面に接着剤３によって固定されている。【００１１】　また、アクリル発泡スポンジ２は図３のように粘着剤４で固定してもよい。このように粘着剤で固定すると、アクリル発泡スポンジ２を細長い棒１からはがすことができるので、この部分だけを付け替えることができる。図４は図３の正面図である。【００１２】　また、アクリル発泡スポンジ２は細長い棒１の両端に取り付けてもよく、この一実施例を図５に示す。【００１３】　図６は本考案の吸着棒の一実施例でビーズ５を取り上げているところを示している。この取り上げたビーズを取り外す際は、取り外す場所にある物体に軽くこすりつければ簡単に取れる。例えば容器の中にビーズを入れる場合は、吸着させたビーズを容器の内側に軽くこすりつけることでビーズは簡単に外れ、容器の中に収まる。【００１４】　細長い棒１の寸法は、直径については３ミリメートルから１０ミリメートル程度が適当で、長さは５０ミリメートルから２００ミリメートル程度が適当であるが、これ以外の任意の寸法にしてもよい。【００１５】　また、細長い棒１の材質は、プラスチック、木、紙、ガラス、金属、鉱物等が適当であるが、それ以外の材質でも、細長い棒の形状になるものはその材質でも良い。【００１６】　アクリル発泡スポンジ２の寸法は、厚さは０．５ミリメートルから３ミリメートル程度が適当で、縦横の寸法は細長い棒１の端面の大きさと同じであるのが適当であるが、これ以外の任意の寸法にしてもよい。【００１７】　小物体の例としては、宝石、真珠、ビーズ、小ねじ、ワッシャ、ピン、金属片、鉱物片、薬、切手、シールなどがあげられるが、それ以外の小片や小物等も含まれる。【００１８】　アクリル発泡スポンジは、そのスポンジ自体が接する相手に吸着する性能を有する。このアクリル発泡スポンジが接する相手に吸着するしくみは、スポンジの表面部分の気泡が吸盤の役割を果たし、接する相手に吸い付くためである。【００１９】　アクリル発泡スポンジは軟らかいため、吸着する際に対象物を傷めない。そして取り外す際も相手を汚したり痛めたりせずに簡単に取り外すことができ、しかも吸着したり取り外したりを何度も繰返し行うことができる。【００２０】　この吸盤の役割を果たす気泡は、直径０．１ミリメートル程度若しくはそれ以下の非常に微細なものでアクリル発泡スポンジの表面全面に付いている。この表面には粘着剤が付いていないため、吸着した相手を汚すことなく、しかも適度な強さで吸着する。このアクリル発泡スポンジは商品化され、市販されている。【００２１】　また、アクリル発泡スポンジが対象物に吸着するしくみが粘着剤によるものでなく、表面の気泡が吸盤のように吸い付くことであるため、アクリル発泡スポンジの表面が汚れて吸着力が無くなっても、水洗いすることによって回復することができる。
【考案の効果】
　本考案は、以上説明したようなものであるから、以下に記載されるような効果を奏する。
【００２２】　細長い棒の先を小物体に触れさせるだけでその小物体を吸着して取り上げることができる。そのため小物体を取り上げる作業を簡単に、しかも能率良く行うことができる。そして吸着した小物体を取り外す際も、その小物体を汚したり痛めたりせずに簡単に取り外すことができ、しかも何度も吸着したり取り外したりを繰り返し行うことができる。
【図面の簡単な説明】
【図１】　本考案の一実施例を示す斜視図である。
【図２】　図１の正面図である。
【図３】　本考案の一実施例を示す斜視図である。
【図４】　図３の正面図である。
【図５】　本考案の一実施例を示す斜視図である。
【図６】　本考案の一実施例でビーズを取り上げているところを示す斜視図である。
【符号の説明】
　１　細長い棒
　２　アクリル発泡スポンジ
　３　接着剤
　４　粘着剤
　５　ビーズ
【図１】
0003099397.tif 000003
【図２】
0003099397.tif 000004
【図３】
0003099397.tif 000005
【図４】
0003099397.tif 000006
【図５】
0003099397.tif 000007
【図６】
0003099397.tif 000008
(57)【要約】　　　（修正有）【課題】　携帯電話から出ると言われる電磁波からの影響を抑制する。【解決手段】　キャリングケース本体１の内側に電磁波遮蔽繊維を貼り付けもしくは縫い付けた事により当該キャリングケースへ携帯電話を入れて持ち運ぶ事で携帯電話から出ると言われている電磁波からの人体への影響を抑制する。【選択図】　図２
0003099393.tif 000002
【実用新案登録請求の範囲】
【請求項１】
　　キャリングケース本体の内側に電磁波遮蔽繊維を貼り付け、もしくは縫い付けして携帯電話などから出ると言われる電磁波の人体への影響を抑える事を特徴とするキャリングケース
【考案の詳細な説明】
【技術分野】
【０００１】　本考案は、キャリングケース本体に電磁波遮蔽繊維を貼り付け、もしくは縫い付けした、キャリングケースに関するものである。
【背景技術】
【０００２】　従来、電磁波遮蔽繊維自体はあったが、キャリングケース本体に付いているものはなかった。
【考案の開示】
【考案が解決しようとする課題】
【０００３】　携帯電話から出てると言われている電磁波の人体への影響は近年、新聞等で取り上げられ社会問題にもなっており、人体への電磁波の影響ははかりしれない。
　また現在の生活においては携帯電話を持たない人が少ないくらいの普及率であり、常時携帯電話を持ち歩く人が多い。従って持ち運びに便利なキャリングケース自体に電磁波遮蔽繊維を用いる事で、常時持ち歩く人がこのキャリングケースを使用することにより携帯電話からの電磁波の影響を抑制することが可能になり、前述の欠点を抑制し解決しようとするものである。
【課題を解決するための手段】
【０００４】　本考案は、キャリングケース本体の内側に電磁波遮蔽繊維を貼り付け、もしくは縫い付けてる事によりキャリングケース自体のデザインにも影響せずに電磁波からの人体への影響を抑制する事ができ、問題点を解決できる。
【考案実施の形態】
【０００５】　キャリングケース本体の内側にそって電磁波遮蔽繊維を貼り付け、もしくは縫い付ける。内側に貼り付け、もしくは縫い付ける事により、キャリングケースのデザインが自由になり色や形が自在になる。
【実施例】
【０００６】　以下、添付図面に従って一実施例を説明する。１は耐久性の皮革等適宣素材にて成型されたキャリングケース本体、２は電磁波を遮蔽する繊維で、この電磁波遮蔽繊維をキャリングケースの内側に貼り付け、もしくは縫い付けしている。３はベルト等に取り付けられるベルトクリップである。【０００７】本考案の一実施例は上術の如き構成からなるものであるから、携帯電話本体を入れて持ち運ぶキャリングケースとしては勿論であるが、電磁波遮蔽繊維を内側に採用する事ににより常時持ち運び時には電磁波からの影響から抑制される。
【考案の効果】
【０００８】　上述の様に、本考案の電磁波遮蔽繊維付きキャリングケースは携帯電話本体を入れて持ち運ぶことは勿論、電磁波遮蔽繊維が携帯電話本体から出ると言われる、電磁波からの人体への影響を抑制する事ができる。
【図面の簡単な説明】
【０００９】
【図１】本考案のキャリングケースの正面図である。
【図２】本考案の一部切欠断面図である。
【符号の説明】
【００１０】１　キャリングケース本体
２　電磁波遮蔽繊維
３　ベルトクリップ
【図１】
0003099393.tif 000003
【図２】
0003099393.tif 000004
(57)【要約】
【課題】　本考案はキャリングケース本体に伸縮する素材のストラップを取り付け、そのストラップを携帯電話本体に取り付ける事により安全に持ち運べて、又地面などへの携帯電話の落下を防止する。
【解決手段】　本考案はキャリングケース本体の側面に伸縮する素材のストラップを取り付けする為に生地を折り返してリングを取り付け固定し、そのリングへ敵宣の伸縮さにした伸縮する素材のストラップを取り付けし、携帯電話本体へ取り付けするストラップ部分はバネ式のフック状のストラップヘッドを用いてキャリングケース本体及びストラップ部分から携帯電話本体を分離できるようにしている。この落下防止の為の伸縮するストラップを携帯電話本体に取り付け、キャリングケース本体を使用してもらうことにより万が一のキャリングケース本体への携帯電話の出し入れ時や携帯電話を使用中、あるいは不意に落としてしまった時などに地面などに落下させず、携帯電話本体を安心して使用することができる。
【選択図】　図２
0003099394.tif 000002
【実用新案登録請求の範囲】
【請求項１】
　　キャリングケース本体に落下防止の為の伸びるストラップを取り付けるフックを設け、当該落下防止の為の伸びるストラップを取り付けて当該ストラップを携帯電話本体に取り付ける事によりキャリングケースに出し入れする際の不意の落下を防止する事を特徴としたキャリングケース
【考案の詳細な説明】
【技術分野】
【０００１】　本考案は、キャリングケース本体に落下防止の為の伸びるストラップを取り付けた、キャリングケースに関するものである。
【背景技術】
【０００２】　従来、携帯電話を持ち歩く為のキャリングケースはあり携帯電話の落下を防止する為の伸びるストラップもあったが別々に揃える必要があり又、ベルト等に別々に取り付けたり取り外したりする必要があった。
【考案の開示】
【考案が解決しようとする課題】
【０００３】　別々にキャリングケースと落下防止の為のストラップを購入すると経済的にも負担がありまたベルト等への取り付けをする際にも別々に取り付けしたり取り外ししたりする必要があり時間的、労働的な負担である、従ってキャリングケースとして持ち運びする機能と落下防止ストラップとしての機能を一体化することにより、落下防止のストラップを携帯電話に取り付けることで、キャリングケースに携帯電話を出し入れする際の不意の落下の心配が無くなり安全に持ち運びができる事で、前述の欠点を解決しようとするものである。
【課題を解決するための手段】
【０００４】　本考案は、キャリングケース本体の側面に落下防止の為の伸びるストラップを取り付けるリングを固定する為に生地を折り返して止め、そのリングに落下防止の為の伸びるストラップを取り付ける。
伸びるストラップを付ける事で、紐を短くする事ができ邪魔にならず自在に伸縮し使い勝手の良い物にしており、また不意に携帯電話を誤って落下させてしまった場合にも地面の届かない伸張さにして安全を図る事により問題点を解決している。
【考案実施の形態】
【０００５】　キャリングケース本体の側面に落下防止の為のストラップを付ける為のリングを固定する生地を折り返して止め敵宣の伸張さにした落下防止の為の伸びるストラップを取り付けをする。携帯電話本体に取り付ける部分は着脱が自在なバネ式のフックを用いたストラップとしキャリングケース及び落下防止の為の伸びるストラップから分離できるようにする事により、更に利便性をあげている
【実施例】
【０００６】　以下、添付図面に従って一実施例を説明する。１は耐久性の皮革等適宣素材にて成型されたキャリングケース本体、２は生地を折り返して止め、落下防止の伸びるストラップをつける為の固定されたリング。
３は伸縮するゴム状のストラップ。４は伸縮するストラップから分離できるようにする為のバネ式のフックの付いた携帯電話本体に取り付けるストラップヘッド。５はベルト等に取り付ける為のベルトフック。【０００７】本考案の一実施例は上術の如き構成からなるものであるから、携帯電話本体を入れて持ち運ぶキャリングケースとしては勿論であるが、携帯電話を出し入れする際や通話中の万が一の地面などへの落下防止を防止する。
【考案の効果】
【０００８】　上述の様に、本考案の落下防止の伸びるストラップ付きキャリングケースは携帯電話本体を入れて持ち運ぶことは勿論、携帯電話本体へのキャリングケースの出し入れ時や通話中に誤って落としてしまっても携帯電話を破損させることなく安全に持ち運ぶことができる。
【図面の簡単な説明】
【０００９】
【図１】本考案のキャリングケースの正面図である。
【図２】本考案の側面図である。
【符号の説明】
【００１０】１　キャリングケース本体
２　リング
３　伸びるゴム状のストラップ
４　バネ式フック付きストラップヘッド
５　ベルト等に固定するフック
【図１】
0003099394.tif 000003
【図２】
0003099394.tif 000004
(57)【要約】【課題】傘のハンドルを持つ掌を風雨、風雪、紫外線から防いで保護する。【解決手段】ハンドルカバー３は、人の掌を収容する大きさのスカート状物で、傘のハンドル２周辺に付加装着され、傘の柄１に隙間なく固着されるハンドルカバー３は雨雪天時には防水性シート等からなり、日傘用には通気性素材を使用。スカート状物下部開口部より掌を挿入し使用する物である。【選択図】　図１
0003099336.tif 000002
【実用新案登録請求の範囲】
【請求項１】
傘のハンドル周辺部へ脱着自在に付加し得る、人の掌を収容する大きさのスカート状物であって、防水性シート、通気性素材などからなり、ハンドルカバー下部の開口部から掌を挿入し使用するハンドルカバー。
【請求項２】
スカート状物のハンドルカバーを、春夏秋の雨天時には防水性シートにして使用する。冬はハンドルカバーを大きめに制作し、防水性シートの内側に保温性素材を縫い合わせた物又はマジックテープで張り合わせた物にすることにより手袋をしたままで使用できるようにする。夏季の日中は日傘用としてレース素材等の通気性のよいハンドルカバーにする。一年を通し、季節、状況により様々なタイプの中から選択し、使用できる。
【考案の詳細な説明】
【０００１】
【考案の属する技術分野】本考案は傘のハンドル部に付加して使用される傘のハンドルカバーに関する。
【０００２】
【従来の技術】従来のハンドルカバーは袋状の物しかなく（例えば、実用新案文献１参照）、雨雪天のみでの使用であった。又、手袋をしたままでは窮屈である。
【実用新案文献１】実開平５−１１８１２
【０００３】
【考案が解決しようとする課題】冬季の風雨、風雪時に傘をさす手は指先が凍るように冷たくなる。夏季の日中は紫外線が強く、肌への悪影響が懸念される。
【０００４】
本考案は、これらの場合に掌を風雨、風雪、寒風、紫外線などからハンドルカバーを季節、状況に応じて選択し、使用することにより、掌の快適性を保ち、保護する傘のハンドルカバーの提供を解決課題とする。
【０００５】
【課題を解決する為の手段】本考案の傘のハンドルカバーは傘のハンドル周辺部へ脱着自在に付加し得る人の掌を覆う大きさのスカート状物であって、防水性シート、保温素材、通気性素材等を用いたハンドルカバーで、季節、状況に応じて選択することができることを特徴としている。
【０００６】
【考案の実施の形態】スカート状物の下部の開口部Ｄから掌を挿入すれば通常の傘と同様に使用することができ、スカート状の防水性シートにより雨水は滑落し、内部への侵入を防ぐ。また、寒冷時は手袋を併用することによりさらに保温性を高めることができ、掌を保護する。
【０００７】
【実施例】図１に本考案の実施例を示す。
傘のハンドルカバー３は、人の掌（冬用は手袋装着状態）が入る大きさを持つスカート状物であって、ゴム、防水布地等の防水シートと、レース等の通気性のよい素材からなり、傘のハンドル２を通して傘の柄１にマジックバンドで隙間なく固着する。
【０００８】
本考案の変形実施例としてハンドルカバー３を固着させるために、ひも、ゴム、バンド等を用いてもよい。
【０００９】
【考案の効果】本考案によれば、寒冷時にハンドルを握る掌が風雨、風雪から保護され快適である。夏季日中時には、紫外線から肌を保護する。また、傘をたたむ際にはハンドルカバー３を裏返すことにより、装着したままでの格納が可能である。不要時には容易に取り外すこともできる。
【図面の簡単な説明】
【図１】は本考案の実施例を示す外観横視図である。
【符号の説明】
１…傘の柄
２…傘のハンドル
３…ハンドルカバー
【図２】はハンドルカバー３を前面、後面、側面から捉えた図である。
【符号の説明】
Ａ…表に毛面、裏に爪毛面を張り合わせたマジックテープ
Ｂ…ズレ止めのため、カバーの内側に取り付けたスポンジゴム
Ｃ…ハンドルカバー本体
Ｄ…開口部
Ｅ…風圧での舞い上がりを防止するゴム性のおもり
【図１】
0003099336.tif 000003
【図２】
0003099336.tif 000004
【手続補正書】
【提出日】平成15年6月8日(2003.6.8)
【手続補正１】
【補正対象書類名】明細書
【補正対象項目名】請求項２
【補正方法】変更
【補正の内容】
【請求項２】
スカート状物のハンドルカバーを、一年の季節、気候の状況において、
（１）春夏秋の雨天時には防水性シートにする。
（２）冬は大きめに制作し、防水性シートの内側に保温性素材をマジックテープなどで張り合わせた物にする（手袋をしたままで使用可）。
（３）夏季の日中には日傘用としてレース素材等を使い通気性のよいものにする。
以上からなる傘のハンドルカバー。
【手続補正書】
【提出日】平成15年8月14日(2003.8.14)
【手続補正１】
【補正対象書類名】明細書
【補正対象項目名】請求項２
【補正方法】変更
【補正の内容】
【請求項２】
ハンドルカバーの材質が、１）防水性シート、２）大きめの防水性シートの内側に保温性素材を面ファスナーなどで張り合わせた物、３）レース素材等の通気性の良いもの、のいずれかである、請求項１記載のハンドルカバー。
(57)【要約】　　　（修正有）【課題】傘が転倒しない様に傘の先端に取付ける器具及びそれを具備した傘を提供する。【解決手段】傘の先端、石づき部に支持具を取付け、その一部を自身の履いている靴の腰革部に差し込むことにより傘の先端が固定され、傘の握柄部をシートや脚に立てかけることにより、倒れることなく両手が自由となる。【選択図】　　図３
0003099340.tif 000002
【実用新案登録請求の範囲】
【請求項１】
傘の先端、石づき部に樹脂又は金物製の支持具を取付けその一部分を自身の履いている靴の腰革部に差し込み傘の先端を支える器具。
【請求項２】
請求項１記載の要件を具備した傘。
【考案の詳細な説明】
【０００１】
【考案の属する技術分野】
本考案は電車内等において、傘を持って座席に着席した場合、傘が転倒しない様に傘の先端を自身の履いている靴を利用し支える器具に関する。
【０００２】
【従来の技術】
雨天時など、傘を持って電車等の座席に座った場合、傘が転倒しない様に支える方法として片手又は両手で傘を持つ、自身の両脚の間に挟む、シートや手すりに立て掛けるなどの方法がとられている。
【０００３】
【考案が解決しようとする課題】
電車内等で傘を持って着席した場合、傘が転倒しない様、手で支えたり脚に挟んだりしているが、この場合片手又は両手の自由が奪われるため、新聞等も読みづらく、また傘の先端は鋭利で、かつ材質的にすべりやすく、傘の先端を固定できないため、手や脚で支えていても電車の振動などで、
傘が転倒するなどしている。
【０００４】
そこで本考案は、傘が転倒しない様に傘の先端に取付ける器具及びそれを具備した傘を提供することにある。
【０００５】
【課題を解決するための手段】
本考案は傘の先端、石づき部に樹脂又は金物製の支持具を取付け、自身の履いている靴の腰革部に支持具の一部を差し込み、靴によって傘の先端を固定させるものである。
【０００６】
【考案の実施の形態】
次に本考案の実施の形態について添付図面に基づいて詳細に説明する。
図１は本考案の支持具を示す。（Ａ）は樹脂製、（Ｂ）は金物製の例を示す。
図２は支持具を傘の石づき部に挿入した状態を示したもので（Ａ）は樹脂製、（Ｂ）は金物製の場合を示す。それぞれ支持具には、３に示すフィンがついており、これを靴の腰革部に差し込むことができる形状となっている。
図３は電車内等で着席し、靴の腰革部に差し込んだ状態を樹脂製支持具の場合で示す。
【０００７】
【考案の効果】
傘の先端が自身の履いている靴と一体化されるため、傘の先端がすべって倒れることがなくなり、傘の握柄部をシートや脚に立てかけることにより両手は自由となる。また、傘を電車内等に置き忘れることがなくなる。
【図面の簡単な説明】
【図１】支持具を示した説明図である。
【図２】支持具を雨傘先端に取付けた状態を示した説明図である。
【図３】使用例を示した説明図である。
【符号の説明】
１　樹脂製の支持具
２　金物製の支持具
３　フィン
４　傘の石づき部
５　傘
６　靴
【図１】
0003099340.tif 000003
【図２】
0003099340.tif 000004
【図３】
0003099340.tif 000005
【手続補正書】
【提出日】平成15年8月14日(2003.8.14)
【手続補正１】
【補正対象書類名】明細書
【補正対象項目名】実用新案登録請求の範囲
【補正方法】変更
【補正の内容】
【実用新案登録請求の範囲】
【請求項１】
傘の石づき部が入り込む挿入部、及び靴の腰革部に差し込み傘の先端を支える突起状のフィンを有する樹脂又は金物製の雨傘先端支持具。
【請求項２】
請求項１記載の突起状のフィンを傘の石づき部に具備した傘。
(57)【要約】　　　（修正有）【課題】土壌消毒とガス取除及び深層砕土を行う。【解決手段】細長い鉄板でラセン状の刃を作り中心の鉄パイプと結合してこのパイプにもう１本の小さいパイプを通して畑の三つの作業の超深耕と消毒とガス取除を行う。（イ）ラセン刃の超深耕で超深層の砕土を行う。（ロ）小さいパイプでダイヤフラムからのガスを通して土壌消毒。（ハ）コンプレッサーの空気圧とラセン刃の回転力でガスの取除。以上の作業を段階的にトラクターなどの動力で解決する。【選択図】　図１
0003099332.tif 000002
【実用新案登録請求の範囲】
【請求項１】
細長い鉄板でラセン状の刃を作り中心の鉄パイプと結合してそのパイプの中にもう１本小さいパイプを通して次の超深耕と消毒とガス取除の三つの作業を行うものである。
【考案の詳細な説明】
従来の畑作業機では深耕とは名ばかりでその深さは４０ｃｍ程度しかできず４０ｃｍ以上に生存する雑菌が生残り完全な作業ができていなかった。又超深耕ではないため雨後の廃水が悪くそのためリツパーなどの機械で行っていたが不完全であった。これまでに超深耕砕土及び消毒ガス取除の三つの使事のできる機械は出品がなかった。この考案は細長い鉄板でラセン状の刃を作り中心の鉄パイプと結合してこのパイプにもう１本の小さいパイプを通して畑の三つの作業の超深耕消毒ガス取除を行うものである。
（イ）ラセン刃の超深耕で超深層７０〜８０ｃｍの砕土を行う。
（ロ）小さいパイプでダイヤフラムからのガスを通して土壌消毒
（ハ）コンプレッサーの空気圧とラセン刃の回転力でガスの取除。
以上の作業を段階的にトラクターなどの動力で解決する。
【図面の簡単な説明】
【図１】本考案の全体図
【図２】他機種と本機図
【符号の説明】１．ダイヤフラム　２．ラセン刃　３．鉄パイプ
４．小さいパイプ　５．コンプレッサー　６．ガス
７．深耕ロタリー　８．リツパー　９．砕土　１０．回転
【図１】
0003099332.tif 000003
【図２】
0003099332.tif 000004
【手続補正書】
【提出日】平成14年12月27日(2002.12.27)
【手続補正２】
【補正対象書類名】明細書
【補正対象項目名】実用新案登録請求の範囲
【補正方法】変更
【補正の内容】
【実用新案登録請求の範囲】
【請求項１】
細長い鉄板でラセン状の刃を作り中心の鉄パイプと結合してそのパイプの中にもう１本の小さいパイプを通して次の超深耕と消毒とガス取除の三つの作業を行うものである。
【考案の詳細な説明】従来の畑作業機では深耕とは名ばかりでその深さは４０ｃｍ程度でしかできず４０ｃｍ以上に生存する雑菌が生残り完全な作業ができていなかった。又超深耕でないため雨で後の廃水が悪くそのためリッパーなどの機械で行っていたが不完全であった。これまでに超深耕砕土及び消毒ガス取除の三つの仕事のできる機械は出品がなかった。この考案は細長い鉄板でラセン状の刃を作り中心の鉄パイプと結合してこのパイプにもう１本の小さいパイプを通して畑の三つの作業の超深耕と消毒とガス取除を行うものである。
（イ）ラセン刃の超深耕で超深層の砕土を行う。
（ロ）小さいパイプでダイヤフラムからのガスを通して土壌消毒。
（ハ）コンプレッサーの空気圧とラセン刃の回転力でガスの取除。
以上の作業を段階的にトラクターなどの動力で解決する。
【手続補正書】
【提出日】平成14年12月27日(2002.12.27)
【手続補正１】
【補正対象書類名】図面
【補正対象項目名】図２
【補正方法】変更
【補正の内容】
【図２】
0003099332.tif 000005
【手続補正書】
【提出日】平成15年7月18日(2003.7.18)
【手続補正２】
【補正対象書類名】明細書
【補正対象項目名】全文
【補正方法】変更
【補正の内容】
【実用新案登録請求の範囲】
【請求項１】細長い鉄板でラセン状の刃を作り中心の鉄パイプと結合してそのパイプの中にもう１本小さいパイプを通して次の超深耕と消毒とガス取除の超深耕消毒ガス取除機。
【考案の詳細な説明】
従来の畑作業機では深耕とは名ばかりでその深さは４０ｃｍ程度しかできず４０ｃｍ以上に生存する雑菌が生残り完全な作業ができていなかった。又超深耕でないため雨後の廃水が悪くそのためリッパーなどの機械で行っていたが不完全であった。これまでに超深耕砕土及び消毒ガス取除の三つの使事のできる機械は出品がなかった。この考案は細長い鉄板でラセン状の刃を作り中心の鉄パイプと結合してこのパイプにもう１本の小さいパイプを通して畑の三つの作業の超深耕消毒ガス取除を行うものである。
（イ）ラセン刃の超深耕で超深層部の回転の砕土を行う。
（ロ）小さいパイプでダイヤフラムからのガスを通して土壌消毒
（ハ）コンプレッサーの空気圧とラセン刃の回転力でガスの取除。
以上の作業を段階的にトラクターなどの動力で解決する。
【図面の簡単な説明】
【図１】本考安の全体図
【図２】（イ）図１の全体図の３本のラセン刀の１本を図２に書いた土中での超深耕図
（ロ）図２の７は他機種の深耕ロタリー
（ハ）図２の８リッパは他機種深耕機
（ニ）図２の２ラセン刀は図１の取付部分を除いた超深耕図
（ホ）９砕土はラセン刀とロタリーの超深耕と深耕図
（ヘ）１０回転は砕土の回転方向図
【符号の説明】
１、ダイヤフラム　２、ラセン刀　３、鉄パイプ　４、小さいパイプ　５、コンプレッサー　６、ガス　７、深耕ロタリー　８、リッパー　９、砕土　１０、回転


【手続補正３】
【補正対象書類名】図面
【補正対象項目名】全文
【補正方法】変更
【補正の内容】
【図１】
0003099332.tif 000006
【図２】
0003099332.tif 000007
(57)【要約】　　　（修正有）【課題】ハンドルを利用した読書器具において、車両のハンドルに簡単にセット出来、頁がめくれないようにする。読書中あるいは，取り付ける時にもクラクションが鳴らないようにする。コンパクトに、かつスマートに仕上げる。【解決手段】マジックテープ１で車両のハンドル９に巻きつけ、固定。金具６を開き、２本のアンテナ３（伸縮ハイプ）をハンドル９の下部の所まで、伸ばして開く。アンテナ（小）４を伸ばし、２つの球の間を、アンテナ受け５に嵌める。サイズに合わせて伸ばし、本を載せ、頁をピン７で押える。【選択図】　図３
0003099337.tif 000002
【実用新案登録請求の範囲】
【請求項１】
車両のハンドル９にマジックテープ１で巻付け、アンテナ３を伸ばしてセットし、本や雑誌等を載せて読む器具。
【考案の詳細な説明】
【０００１】
［考案が解決しようとする課題］
特許庁の「特許電子図書館」にカーハンドル用ブックスタンドというものがあった。それは、
「クラクションが鳴る恐れがある」「器具自体伸縮出来ないので、狭い車内では邪魔になり、又持ち運びも不便である」
「頁がめくれるのを手で押えなければならない」という問題点を有している。
【０００２】
［課題を解決するための手段］
上記目的を達成するために、マジックテープをハンドルに巻きつけ，３本のアンテナを利用して伸縮を自在にし、コンパクトに仕上げた。
アンテナの下部には本を乗せる金具、頁を押えるピンを取り付けた。
【０００３】
［考案の効果］
同器具を使用する事で両手が自由になり、お茶を飲む、メモを取るなど身体的にも解放され、長時間の読書も出来る。約０．１４ｍに縮める事が出来、車内でも邪魔にならず、上着のポケットにも入り、携帯にも便利である。
【図面の簡単な説明】
【図１】左側面図、正面図、右側面図である。
【図２】裏面図、
【図３】ハンドルに装着した図である。
【符号の説明】
１　マジックテープ
２　金具（２本のアンテナをまとめる）
３　アンテナ（伸縮パイプ）
４　アンテナ（小、本の背もたれ）
５　アンテナ受け
６　金具（本を載せる）
７　ピン（頁押え）
８　バネ
９　ハンドル
【図１】
0003099337.tif 000003
【図２】
0003099337.tif 000004
【図３】
0003099337.tif 000005
【手続補正書】
【提出日】平成15年8月11日(2003.8.11)
【手続補正２】
【補正対象書類名】明細書
【補正対象項目名】実用新案登録請求の範囲
【補正方法】変更
【補正の内容】
【実用新案登録請求の範囲】
【請求項１】
「車両のハンドルに巻きつける面ファスナーと、下部に本を載せる金具及びページを押えるピンを有する３本のアンテナとからなる事を特徴とする本や雑誌等を読む器具。」
(57)【要約】【課題】赤坊に母乳を与える時，母乳の出方が良かったり赤坊がうまく飲めなかったりした時の落乳や流乳で衣類を汚さず，それらの吸収効果を高めることを目的とし，更に授乳がスムーズに行われることを助ける授乳用親子エプロンを提供する。【解決手段】よだれかけ（１）に，ゴムの輪（２）と胸当てカーブ（３）をつけることにより，母親と赤坊の両方でこの作品を共有し，落乳や流乳を瞬時に吸収し衣類や床が汚れるのを防げることを特徴とする。【選択図】　　　　　　　図１
0003099357.tif 000002
【実用新案登録請求の範囲】
【請求項１】
赤ちゃん用よだれかけ（１）の赤ちゃんの首側部分を固定するのとは反対側にゴムの輪（２）をつけたもの。
【請求項２】
赤ちゃん用よだれかけ（１）のゴムの輪（２）をつけた方に母親の胸にフィットするようにカーブ（３）をつけたもの。
【考案の詳細な説明】
【０００１】
【考案の属する技術分野】
本考案は，赤ちゃん用よだれかけ（１）の赤ちゃんの首側部分を固定するのとは反対側に胸にフィットするカーブ（３）をつけ，更に母親の両わきの下にかけるゴムの輪（２）をつけたものである。
【０００２】
【従来の技術】
従来の赤ちゃん用よだれかけは赤ちゃんのみで使用していた。そのため母親用胸当てカーブや，母親側の両わきの下で固定する為のゴムの輪がついていない。
【０００３】
【考案が解決しようとする課題】
これは次のような欠点があった。
【０００４】
赤ちゃんに母乳を与える時，母乳がたれて赤ちゃんの衣類を濡らしたり，母親の胸の下の部分の衣類が濡れることがあった。
【０００５】
授乳の時，赤ちゃんがよく動いたり，また母乳の出方が良すぎたりするとその母乳漏れを的確に受け止められず床や畳や布団まで汚してしまうことがあった。
【０００６】
本考案は，これらの欠点を除くためになされたものである。
【０００７】
【課題を解決するための手段】
請求項１に関しては，赤ちゃん用よだれかけ（１）の赤ちゃんの首側部分を固定するのとは反対側にゴムの輪（２）をつける。
【０００８】
請求項２に関しては，赤ちゃん用よだれかけ（１）にゴムの輪（２）をつけた方に母親の胸にフィットするようにカーブ（３）をつける。
【０００９】
本考案は，上述のような，赤ちゃん用よだれかけにゴムの輪と，胸にフィットするカーブをつけたものである。
【００１０】
【考案の実施の形態】
以下，本考案の実施の形態について説明する。
【００１１】
請求項１に関しては，赤ちゃん用よだれかけ（１）の赤ちゃんの首側部分を固定するのとは反対側にゴムの輪（２）をつける。
【００１２】
請求項２に関しては，赤ちゃん用よだれかけ（１）にゴムの輪（２）をつけた方に母親の胸にフィットするようにカーブ（３）をつける。
【００１３】
【考案の効果】
本考案は，上述のとおり構成されているので，次に記載する効果を奏する。
【００１４】
赤ちゃんと母親が授乳の時に，同時に一つのよだれかけをお互いに身につけることにより，落乳や流乳をもれなく吸収してくれるので，母子共に衣類を濡らすことがなくなった。
【００１５】
赤ちゃんが，授乳中に激しく動いても，この授乳用親子エプロンがしっかり赤ちゃんの動きに対応できるので，落乳や流乳をしっかり受けとめることができる。
【００１６】
この授乳用親子エプロンを使用することにより，母子共に衣類が濡れず，更に母乳の出方のいい場合，床や畳や布団まで汚れるのを防げるので衛生面においても清潔である。
【００１７】
この授乳用親子エプロンを母子共に共有して使用することで，お互いの親近感も増し，愛情も深まる。
【００１８】
この授乳用親子エプロンは，ゴムの輪の部分が伸びるのでどんなサイズの母子でも安心して着用できる。
【図面の簡単な説明】
【図１】本考案の赤ちゃん用よだれかけ（１）にゴムの輪（２）と胸当てカーブ（３）をつけたものの平面図である。
【符号の説明】
１　赤ちゃん用よだれかけ
２　ゴムの輪
３　胸当てカーブ
【図１】
0003099357.tif 000003
【手続補正書】
【提出日】平成15年9月1日(2003.9.1)
【手続補正１】
【補正対象書類名】明細書
【補正対象項目名】請求項１
【補正方法】変更
【補正の内容】
【請求項１】
赤ちゃん用よだれかけ（１）の赤ちゃんの首側部分を固定するのとは反対側にゴムの輪（２）をつけた授乳用親子エプロン。
【手続補正２】
【補正対象書類名】明細書
【補正対象項目名】請求項２
【補正方法】変更
【補正の内容】
【請求項２】
赤ちゃん用よだれかけ（１）のゴムの輪（２）をつけた方に母親の胸にフィットするようにカーブ（３）をつけたものであることを特徴とする請求項１に記載の授乳親子エプロン。
(57)【要約】【目的】回転する円盤をボール又はコロで挟む様にした一方向クラッチにおいて、逆転防止のボールやコロを、回転停止方向にバネ等で押し付けることなく、必要な時だけ回転停止方向にボール又はコロを運ぶ様にし、長時間使用しても接触面が発熱や摩耗で、作動不良を起こさない様にする。【構成】円盤（２）の軸上にしかも円盤の面（２ａ）に接触する様に、誘導部材（１）を取付、この誘導部材（１）に転がり体（４）の位置と形に合わせた開口部を設け、これを円盤（２）のもう片方にも同じ様に取付た、そして円盤（２）の回転に際して、誘導部材（１）が適当な位置で止まる様に、ストッパー部（１ａ）を設けた。【選択図】　　図１
0003099354.tif 000002
【実用新案登録請求の範囲】
【請求項１】
支持部（３）が、互いに向き合う面を、円盤（２）に対して、くさび状に傾斜したカム面をそれぞれ対象に施し、このカム面と円盤（２）の隙間に転がり体（４）を配し、円盤（２）を挟み回転を止め、逆方向の回転に解除される一方向クラッチにおいて、円盤（２）の同心円上で、これと摩擦接触し、しかも転がり体（４）の位置と形に合わせた開口部を設けた誘導部材（１）を、有する一方向クラッチ。
【考案の詳細な説明】
【０００１】
【産業上の利用分野】
この考案は、魚釣り用のリールの一方向クラッチに関するものである。
【０００２】
【従来の技術】
従来、一方向クラッチは、逆転防止のボールやコロを、回転停止方向にバネ等で常に押し付けてなければならず、長時間使用すると接触面が発熱や摩耗して作動不良の原因になっていた。
【０００３】
【考案が解決しようとする課題】
逆転防止のボールやコロを、回転停止方向にバネ等で押し付けることなく、必要な時だけ回転停止方向にボール又はコロを運ぶ様にする。
【０００４】
【課題を解決するための手段】
円盤（２）の軸上にしかも円盤の面（２ａ）に接触する様に、誘導部材（１）を取付、この誘導部材（１）に転がり体（４）の位置と形に合わせた開口部を設けた、これを円盤（２）のもう片方にも同じ様に取付た、そして円盤（２）の回転に際して、誘導部材（１）が適当な位置で止まる様にストッパー部（１ａ）を設けた。
【０００５】
【作用】
円盤（２）を回転させると、誘導部材（１）も同方向にストッパーの位置まで回転し、それに伴い転がり体（４）も同方向まで移動する、また円盤（２）を逆回転させると、転がり体（４）も逆方向へ移動する。
【０００６】
【実施例】
本考案を図１について説明すれば、
転がり体（４）の、位置と形に合わせた開口部を設けた誘導部材（５）を、円盤（２）の軸上に、しかも円盤の面（２ａ）に接触する様に取付、この誘導部材（１）を、円盤（２）のもう片方にも同じ様に取付た、そして円盤（２）の回転に際して、誘導部材（１）が適当な位置で止まる様にストッパー部（１ａ）を設けた。本考案は、このような構造からなる。
【０００７】
【考案の効果】
一方向クラッチの軸が回転するべき方向に回転している時は、ボールやコロは無負荷な状態の位置まで移動し、回転停止の方向に回転しようとした時だけボール又はコロは回転停止方向へ運ばれた。
【図面の簡単な説明】
【図１】本考案の斜視図
【符号の説明】
１　誘導部材
２　円盤
３　支持部
４　転がり体
１ａ　ストッパー部
２ａ　円盤の面
【図１】
0003099354.tif 000003
(57)【要約】【課題】本考案は金属板等の複数回曲げ加工等の場合に、突き当て先端部が後方に退避することで、曲げ加工をする製品との間に掛かる過剰な圧力を吸収する。【解決手段】本考案は突き当て先端部１と後方部４との間にスプリングもしくはエアシリンダー３を中間部２で内包し、それらの適度な反発力で先端部１と曲げ加工を行う製品Ｄとの間に生じた力を、後方にずれながら吸収し曲げ加工終了時に元の位置に戻ることにより、複数回曲げ加工等を行う際にストレッチごと突き当てを後退させる手間を省ける。【選択図】　　図１
0003099356.tif 000002
【実用新案登録請求の範囲】
【請求項１】
金属板等の曲げ加工等を行う機械、ベンダー等の突き当ての先端が、曲げる対象との間に生じる圧力により、本考案品本体内部に設置したスプリ、ングもしくはエアシリンダーのクッション効果で後方に退避した後、元の位置に戻ることを特徴とする先端後退式突き当て。
【考案の詳細な説明】
【０００１】
【考案の属する技術分野】
本考案は、突き当て内部にスプリングやエアシリンダー等、クッション作用を持つ素材を設置した突き当てに関するものである。
【０００２】
【従来の技術】
従来品は、金属板等を曲げ加工する際に突き当て本体中央に間接があり、そこを支点として上方に折れ曲がり、曲げ加工する製品との間に掛かる圧力を逃がしていた。しかし厚板やＺ型に曲げる時には、一度製品を突き当てに当ててから突き当てとストレッチごと後ろに下げる等をしていた。
【０００３】
【考案が解決しようとする課題】
曲げ加工を行なう度に、ストレッチごと突き当てを後ろに下げることは製品の数量が多いときには、時間的に負担が大きく又、誤って突き当てを後ろに下げるのを忘れると、製品を損なったり機械本体に大きな負荷を与える。そこで突き当て内部のスプリングや、エアシリンダー等のクッション作用を用いてストレッチごと突き当てを下げる動作を無くす事で、時間的、消耗費的、労力的負担を解決しようとするものである。
【０００４】
【課題を解決するための手段】
本校案では、突き当ての先端を内部のスプリング、もしくはエアシリンダーの圧力で常に本考案品本体前方に押す力が掛かっている状態にある。これが曲げようとする製品との間に生じる過剰な圧力を吸収するクッション作用を有し、曲げようとする製品や、機械本体に掛かる負担を大幅に軽減することにより、問題点を解決している。
【０００５】
【考案の実施の形態】
突き当て先端の部材と後方部の部材との間に、スプリングもしくはエアシリンダーを適度な圧力が掛かるよう設置してあり、前後に滑らか且つ正確に先端部材が動くように作られた中間部材で、先端部材の先端が適度に露出するようにそれらを内包する。中間部材には長穴が開いており、中を通る先端部材から延びるピンがこれを通過し、長穴とピンとの間にできる余分な距離で、曲げ加工を行なう際に製品から受けた圧力を、先端部材がスプリングもしくはエアシリンダーによるクッション作用でその圧力を吸収しながら後方に下がり、曲げ加工が終了して製品から受ける圧力が無くなると、スプリングもしくはエアシリンダーによる圧力で元の位置に戻る一連の動作ができる。その時スプリング式ならスプリングを反発力の強いものや弱いもの等で交換し、エアシリンダー式ならエアシリンダーに送り込まれる空気、又はガスの圧力の強弱で、曲げ加工する製品の板厚に対応する事が出来る。
【０００６】
【実施例】
以下、送付図面に従って一実施例を説明する。１は硬度の高い金属等で形成された先端部。２は１の先端部の一部や３のスプリングもしくは９のエアシリンダーを内包する中間部で、この中を３のスプリングもしくはエアシリンダーによる適度な圧力が掛かった状態で１の先端部が、曲げ加工をしようとする製品から圧力を受けた時に、その圧力を吸収するように９に設けられた長穴と８のピンとの間にできた余分な距離の分後退し、加工後３のスプリングもしくはエアシリンダーによる圧力で元の位置に戻る。
【０００７】
スプリング式の場合３のスプリングを反発力の強いものや弱いもの等で交換することにより、薄くて変形しやすい金属板や、突き当てに押し当てるのに力を要してしまう厚みのある金属板や面積のある大きな金属板等に対応することができる。又エアシリンダー式は、シリンダー内の空気もしくはガスの圧力の強弱で、これに対応することができる。
【０００８】
【考案の効果】
従来品は図３のＢ部を見て解かる通り、このままＣのヤゲン〈金型〉を下に下げると、Ｂ部でＤの曲げ加工をする製品〈この場合金属の板〉とＡの突き当てとの間に互いに押し合う力が生じて、ＤのＢ部が変形を免れない。又、同条件でＤの板の厚さがより厚い場合にはＥのストレッチに大きな負荷を強いて、バックゲージの原点の位置を狂わせかねない。そこで本考案の先端後退式突き当ては、突き当ての先端〈図４のＦ部〉が後退することで上記の障壁を解決している。このことにより、複数回の曲げ等を行うにおいて、従来品ではストレッチごと突き当てを後ろに下げていたのを、容易に且つ連続的に曲げ加工が出来るようになり、時間的、消耗費的、労力的負担を解決することで、曲げ加工を施す製品のコストダウンにも貢献する。
【図面の簡単な説明】
【図１】本考案の先端後退式突き当ての一実施例を示す横からと上からを見た図面である。
【図２】本考案の先端後退式突き当ての内部を示す図面である。
【図３】従来技術による曲げ加工の様子の図である。
【図４】本考案の先端後退式突き当てよる曲げ加工の様子の図である。
【符号の説明】
１　先端部　　　　　　　６　最後部　　　　Ａ　突き当て本体
２　中間部　　　　　　　７　当て板　　　　Ｂ　加工する板との接点
３　スプリング　　　　　８　ピン　　　　　Ｃ　ヤゲン
（エアシリンダー）　９　長穴　　　　　Ｄ　加工する板
４　後方部　　　　　　　　　　　　　　　　Ｅ　ストレッチ
５　ピン　　　　　　　　　　　　　　　　　Ｆ　本考案先端部
【図１】
0003099356.tif 000003
【図２】
0003099356.tif 000004
【図３】
0003099356.tif 000005
【図４】
0003099356.tif 000006
(57)【要約】
【課題】　排気又は水質を浄化し、車輌による排気汚染を低減し、環境保護の効果を得ることができるろ過装置である浄化装置を提供する。
【解決手段】　主に空洞管１へ管状を呈す分子転位器２を設置し、更に該分子転位器内へ管状を呈す隔離層３を嵌設し、その後空洞管の両端へそれぞれ孔を有する蓋４，５を固設して、分子転位器を有する浄化装置とする。蓋の孔を介して隔離層内へ車輌の排気管、又は液体の管路を接続すると、分子転位器の磁力線と大地の磁性は放射状の磁場を呈しており、車輌の排気管、又は液体の管路内の排気又は液体は、磁化配列現象により、空気又は液体をろ過し、浄化して、空気の汚染を低減し、又は水質の浄化の効果を得られる。
【選択図】図１
0003099373.tif 000002
【実用新案登録請求の範囲】
【請求項１】
　主に空洞管へ管状を呈す分子転位器を設置し、更に該分子転位器内へ管状を呈する隔離層を嵌設し、空洞管の両端へそれぞれ孔を有する蓋を固設して分子転位器を有する浄化装置とし、蓋の孔を介して隔離層内へ車輌の排気管、又は液体の管路を接続し、分子転位器の磁力線と大地の磁性は放射状の磁場を形成していることにより、車輌の排気管、又は液体の管路から排出される排気又は液体を、磁化配列現象によって、空気又は液体をろ過し、浄化して、空気の汚染を低減し、又は水質を浄化することを特徴とする分子転位器を有する浄化装置。
【考案の詳細な説明】
【技術分野】
【０００１】
　本考案は一種の分子転位に関する。特に排気又は水質を浄化し、車輌による排気汚染を低減し、環境保護の効果、又は水質を浄化する効果を得る分子転位器を有する浄化装置に係る。
【背景技術】
【０００２】
現在の科学において大地の空間又は各物質上における磁力線の効果は既にその存在の事実並びに効果を確認され証明されており、磁力線の分布に含まれるのは大地全体の空間及び各種物質であり、空気中における９８％以上の磁性微粒の直径は１マイクロメートルよりも小さく（百万分の１ｍ）、よって細かな磁性微粒は拡散されるが気流に流されることは無いので、気流が磁性微粒の影響を受けることはまれである。
　磁力線の原理は目下水のろ過器、活性化器、など広範囲に応用されており、活水、磁化水の製造に使用されているが、車輌の排気処理への応用は未だされていない。
【考案の開示】
【考案が解決しようとする課題】
【０００３】
　このため、本考案は上述の問題を解決する分子転位器を有する浄化装置を提供
　することを課題とする。
【課題を解決するための手段】
【０００４】
　上記課題を解決するため、本考案の分子転位器を有する浄化装置を提供する。それは磁力線の原理を応用して車輌の排気を磁化作用によりろ過して浄化する効果を得られ、空気の汚染は低減し、環境保護の目的を達成するものである。
【考案の効果】
【０００５】
　　上記のように、本考案の分子転位器を有する浄化装置を管路へ装着することにより、空気を汚染することを低減し、水質を浄化し、環境を保護する効果を得られる。
【考案を実施するための最良の形態】
【０００６】
　図１、２に示すように、本考案は主に
　空洞管１に係り、該空洞管１内へ管状の分子転位器２を設け、更に該分子転位器２の内へ管状の隔離層３を嵌設し（隔離層へ断熱のため石綿材質を設けることも可能である）、両蓋４、５にそれぞれ設ける孔４１、５１は隔離層３に対応し、空洞管１へ管状の分子転位器２及び断熱素材の隔離層３を設けた後、蓋４、５を空洞管１の両端へ嵌設し、ボルト締め方式により空洞管１へ緊密に固定される。
　前記構造が空気ろ過装置１００となり、該空気ろ過装置１００は蓋４、５の孔を車輌の排気管を隔離層３の内径部分へ係着し、該分子転位器２の磁力線は大地の極性と放射状の磁場を形成し、排出される排気分子は磁化配列現象により、磁化しようとする物質分子まで伝導して磁化配列し、排気をろ過し浄化する目的を達成する。よって空気の汚染を低減し、環境保護の目的を達成する。
【０００７】
　図３に示すように、該石綿素材は分子転位器２と空洞管１内へ嵌設し、蓋４、５を固定し、車輌の排気管を該隔離層３の内径部分へ係着し、隔離槽３は排気管の熱気を断熱し、更に分子転位器２により排気を磁化配列とすることにより、空気をろ過して浄化する効果となり、空気汚染を低減する。
【０００８】
　図4に示すように、本考案を使用するとき、空気ろ過装置１００は車輌６の排気管６１へ設け、車輌６を運転すると、排出される排気をろ過装置１００がろ過することにより空気の汚染を低減し、環境保護の効果を得る。
【０００９】
　本考案はいかなる管にも設置することができ、例えば水管内の水分子を磁化配列により磁化し、活性化させることもできる。
　下記に示す表は、台北市管理所にて本考案を車輌の排気管へ設置前、設置後の効果の排気検査数値である。
【表１】
0003099373.tif 000003
　
　上記の数値により本案の効果は確かであることが明瞭である。
　空洞管へ分子転位器及び隔離層を設け、磁化浄化する空気ろ過装置を車輌へ装着することにより、空気を汚染することを低減し、環境を保護する効果を得る。
【図面の簡単な説明】
【００１０】
【図１】本考案の立体分解図である。
【図２】本考案の立体図である。
【図３】本考案の断面図である。
【図４】本考案の使用実施例図である。
【符号の説明】
【００１１】
　　　１　空洞管
　　　２　分子転位器
　　　３　隔離層
　　　４　蓋
　　　５　蓋
　　　６　車輌
　　４１　蓋
　　５１　孔
　　６１　排気管
　１００　空気ろ過装置
　　
【図１】
0003099373.tif 000004
【図２】
0003099373.tif 000005
【図３】
0003099373.tif 000006
【図４】
0003099373.tif 000007